(57)【特許請求の範囲】
【請求項１】
基材上に画像印刷層が配置されたグラフィックフィルムであって、
前記画像印刷層は、識別表示が内側に配置された識別情報表示領域と、前記識別情報表示領域以外の任意表示領域とを備えており、
前記識別表示は、少なくともシアン及びブラックの光学濃度を含んで形成され、
前記識別情報表示領域内で前記識別表示以外の領域は、背景図の少なくとも一部を含み、且つ少なくともシアン及びブラックの光学濃度を含んで形成され、
前記識別表示を形成するシアン及びブラックの光学濃度の和に対する、前記識別情報表示領域内で前記識別表示以外の領域を形成するシアン及びブラックの光学濃度の和の比率は８０％以下である、グラフィックフィルム。
【請求項２】
前記識別情報表示領域は、前記識別表示にそれぞれ接する四辺を備えた矩形領域である、請求項１記載のグラフィックフィルム。
【請求項３】
前記識別情報表示領域は、前記識別表示を示す外形線に沿った領域であり、前記外形線からの距離が１５ｍｍ以下である表示形状依存領域である、請求項１記載のグラフィックフィルム。
【請求項４】
前記任意表示領域のうち、前記識別情報表示領域の外縁に沿った領域であり、且つ、前記外縁からの距離が１５ｍｍ以下である近傍領域を形成するシアン及びブラックの光学濃度の和は、前記識別表示を形成するシアン及びブラックの光学濃度の和に対して８０％以下である、請求項１〜３のいずれか一項記載のグラフィックフィルム。
【請求項５】
ベースプレートと、
前記ベースプレート上に設けられ、且つ基材上に画像印刷層が配置されたグラフィックフィルムと、を備え、
前記画像印刷層は、識別表示が内側に配置された識別情報表示領域と、前記識別情報表示領域以外の任意表示領域とを備えており、
前記識別表示は、少なくともシアン及びブラックの光学濃度を含んで形成され、
前記識別情報表示領域内で前記識別表示以外の領域は、背景図の少なくとも一部を含み、且つ少なくともシアン及びブラックの光学濃度を含んで形成され、
前記識別表示を形成するシアン及びブラックの光学濃度の和に対する、前記識別情報表示領域内で前記識別表示以外の領域を形成するシアン及びブラックの光学濃度の和は８０％以下である、ライセンスプレート。
【請求項６】
前記識別情報表示領域は、前記識別表示にそれぞれ接する四辺を備えた矩形領域である、請求項５記載のライセンスプレート。
【請求項７】
前記識別情報表示領域は、前記識別表示を示す外形線に沿った領域であり、前記外形線からの距離が１５ｍｍ以下である表示形状依存領域である、請求項５記載のライセンスプレート。
【請求項８】
前記任意表示領域のうち、前記識別情報表示領域の外縁に沿った領域であり、且つ、前記外縁からの距離が１５ｍｍ以下である近傍領域を形成するシアン及びブラックの光学濃度の和は、前記識別表示を形成するシアン及びブラックの光学濃度の和に対して８０％以下である、請求項５〜７のいずれか一項記載のライセンスプレート。
【請求項９】
基材上に画像印刷層が配置されたグラフィックフィルムの製造方法であって、
前記画像印刷層は、識別表示が内側に配置された識別情報表示領域と、前記識別情報表示領域以外の任意表示領域とを備えており、
前記識別表示は、少なくともシアン及びブラックの光学濃度を含んで形成され、
前記識別情報表示領域内で前記識別表示以外の領域は、背景図の少なくとも一部を含み、且つ少なくともシアン及びブラックの光学濃度を含んで形成され、
前記識別表示を形成するシアン及びブラックの光学濃度の和に対する、前記識別情報表示領域内で前記識別表示以外の領域を形成するシアン及びブラックの光学濃度の和の比率が８０％以下となるように、前記識別表示及び前記識別表示以外の領域の色指定を行う、グラフィックフィルムの製造方法。
【発明の詳細な説明】
【技術分野】
【０００１】
本発明の一側面は、グラフィックフィルムに関する。また、本発明の他の一側面は、グラフィックフィルムを備えたライセンスプレートに関する。
【背景技術】
【０００２】
ＡＬＰＲ（Ａｕｔｏｍａｔｅｄ  Ｌｉｃｅｎｓｅ  Ｐｌａｔｅ  Ｒｅａｄｅｒ）システムは、例えば、自動徴収、交通法の執行、犯罪関与車両の捜索、及び施設へのアクセス管理等のために、車両に設置されるライセンスプレート（ナンバープレートともいう。）を読み取っている。ＡＬＰＲシステムの一態様では、ライセンスプレートを読み取るために赤外線カメラが使用されているので、再帰性反射型ライセンスプレートにおいては、赤外線カメラへの赤外線の戻り光が過大となって読み取り精度が低下することがある。特許文献１は、赤外線不透過材料を含む再帰性反射シートを用いて戻り光を低減させたナンバープレートについて開示する。また、特許文献２および特許文献３は、ＡＬＰＲシステムの一様態である速度違反車両およびその運転者を撮影するシステムについて開示する。
【先行技術文献】
【特許文献】
【０００３】
【特許文献１】特表２０１３−５０８７４９号公報
【特許文献２】特公昭６０−５９３０号公報
【特許文献３】特公昭６１−５１７８３号公報
【発明の概要】
【発明が解決しようとする課題】
【０００４】
上記速度違反車両およびその運転者を撮影するシステムでは、自動車などの一般車両において、図柄入りのライセンスプレートが使用された場合、人の目に依って登録ナンバー（識別表示）が判読される場合があるので、図柄入りのライセンスプレートにおいては、図柄によって識別表示の判読性が低下する可能性がある。
【課題を解決するための手段】
【０００５】
本発明の一側面に係るグラフィックフィルムは、基材上に画像印刷層が配置されたグラフィックフィルムであって、画像印刷層は、識別表示が内側に配置される識別情報表示領域と、識別情報表示領域以外の任意表示領域とを備えており、識別表示を形成するシアン及びブラックの光学濃度の和に対する、識別情報表示領域内で識別表示以外の領域を形成するシアン及びブラックの光学濃度の和の比率は８０％以下である。
【０００６】
発明者は、グラフィックフィルムに識別表示が配置された状態で、識別表示の判読性が低下する原因について検討した。その結果、発明者は、識別情報表示領域において、識別表示を形成するシアン及びブラックの光学濃度の和に対する、識別表示以外の領域を形成するシアン及びブラックの光学濃度の和との比率が８０％以下であれば、仮に、識別情報表示領域内に識別表示以外の図柄等が配置されていたとしても、その図柄等の影響を受けず、識別表示の判読性の低下を低減できるとの知見を得て上記のグラフィックフィルムに想到した。つまり、上記のグラフィックフィルムでは、識別表示を形成するシアン及びブラックの光学濃度の和に対する、識別情報表示領域内で識別表示以外の領域を形成するシアン及びブラックの光学濃度の和の比率は８０％以下であり、その結果として識別表示の判読性の低下を低減できる。
【０００７】
一態様に係るグラフィックフィルムにおいて、識別情報表示領域は、識別表示にそれぞれ接する四辺を備えた矩形領域であってもよい。
【０００８】
一態様に係るグラフィックフィルムにおいて、識別情報表示領域は、識別表示を示す外形線に沿った領域であり、外形線からの距離が１５ｍｍ以下である表示形状依存領域であってもよい。
【０００９】
一態様に係るグラフィックフィルムにおいて、任意表示領域のうち、識別情報表示領域の外縁に沿った領域であり、且つ、外縁からの距離が１５ｍｍ以下である近傍領域を形成するシアン及びブラックの光学濃度の和は、識別表示を形成するシアン及びブラックの光学濃度の和に対して８０％以下であってもよい。
【００１０】
本発明の他の一側面に係るライセンスプレートは、ベースプレートと、ベースプレート上に設けられ、且つ基材上に画像印刷層が配置されるグラフィックフィルムと、を備え、画像印刷層は、識別表示が内側に配置された識別情報表示領域と、識別情報表示領域以外の任意表示領域とを備えており、識別表示を形成するシアン及びブラックの光学濃度の和に対する、識別情報表示領域内で識別表示以外の領域を形成するシアン及びブラックの光学濃度の和は８０％以下である。
【００１１】
このライセンスプレートでは、識別表示を形成するシアン及びブラックの光学濃度の和に対する、識別情報表示領域内で識別表示以外の領域を形成するシアン及びブラックの光学濃度の和の比率は８０％以下であるので、識別表示の判読性の低下を低減できる。
【００１２】
一態様に係るライセンスプレートにおいて、識別情報表示領域は、識別表示にそれぞれ接する四辺を備えた矩形領域であってもよい。
【００１３】
一態様に係るライセンスプレートにおいて、識別情報表示領域は、識別表示を示す外形線に沿った領域であり、外形線からの距離が１５ｍｍ以下である表示形状依存領域であってもよい。
【００１４】
一態様に係るライセンスプレートにおいて、任意表示領域のうち、識別情報表示領域の外縁に沿った領域であり、且つ、外縁からの距離が１５ｍｍ以下である近傍領域を形成するシアン及びブラックの光学濃度の和は、識別表示を形成するシアン及びブラックの光学濃度の和に対して８０％以下であってもよい。
【発明の効果】
【００１５】
本発明の一側面によれば、識別表示の判読性の低下を低減できる。
【図面の簡単な説明】
【００１６】
【図１】図１は、実施形態に係るライセンスプレートの一例を示す平面図である。
【図２】図２は、図１のＩＩＩ−ＩＩＩ線に沿った模式的な断面図であり、見易さの便宜のため、幅方向の寸法に対する厚み方向の寸法が、実際の形態よりも厚くなるように示している。
【図３】図３は、識別情報表示領域を示す図であり、（ａ）図は一例に係る図であり、（ｂ）図は他の例に係る図である。
【図４】図４は、シアン（Ｃ）インク、マゼンタ（Ｍ）インク、イエロー（Ｙ）インク、及びブラック（Ｋ）インクの光透過率スペクトルを示す図である。
【図５】図５は、シアン（Ｃ）インク、マゼンタ（Ｍ）インク、イエロー（Ｙ）インク、及びブラック（Ｋ）インクの光透過率スペクトルを示す図である。
【図６】図６は、比較形態に係るライセンスプレートの正面図である。
【図７】図７は、実施形態に係るグラフィックフィルムの一例を示す平面図である。
【図８】図８は、図７のＶＩＩＩ−ＶＩＩＩ線に沿った断面図である。
【発明を実施するための形態】
【００１７】
本発明の実施形態は、基材上に画像印刷層が配置されたグラフィックフィルムであって、画像印刷層は、識別表示が内側に配置される識別情報表示領域と、識別情報表示領域以外の任意表示領域とを備えており、識別表示を形成するシアン及びブラックの光学濃度の和に対する、識別情報表示領域内で識別表示以外の領域を形成するシアン及びブラックの光学濃度の和の比率は８０％以下である。
【００１８】
このグラフィックフィルムでは、識別情報表示領域の内側に識別表示が配置された状態で、識別表示の判読性の低下を低減できる。
【００１９】
本発明の他の実施形態は、ライセンスプレートであって、ベースプレートと、ベースプレート上に設けられ、且つ基材上に画像印刷層が配置されたグラフィックフィルムと、を備え、画像印刷層は、識別表示が内側に配置される識別情報表示領域と、識別情報表示領域以外の任意表示領域とを備えており、識別表示を形成するシアン及びブラックの光学濃度の和に対する、識別情報表示領域内で識別表示以外の領域を形成するシアン及びブラックの光学濃度の和は８０％以下である。
【００２０】
このライセンスプレートでは、グラフィックフィルムの識別情報表示領域の内側に識別表示が配置された状態で、識別表示の判読性の低下を低減できる。
【００２１】
なお、本明細書における「識別表示」とは、自他を識別する機能を有する情報を含んだ表示を意味し、車両等のライセンスプレート（「ナンバープレート」ともいう）に適用される場合には、自車両と他車両とを区別して識別可能な文字、数字、記号、図柄等を含む表示である。なお、ライセンスプレートの場合、識別表示はライセンスプレートが採用される国の規則や運用等によって決まるが、自他を区別する文字や記号等によって形成される情報を広く含む。例えば、日本のライセンスプレートの場合、識別情報は、地名、分類番号、平仮名、及び４桁の数字の登録番号によって車両を識別する情報である。
【００２２】
「フィルム」には「シート」と呼ばれる物品も包含される。「透明」とは、対象とする特定の波長又は波長域の光の平均透過率が、約６０％以上、好ましくは約８０％以上、より好ましくは約９０％以上であることを意味する。「再帰反射性」とは、ある材料に入射する光源からの光が反射して該光源の方向に反射する現象又は材料の特性を意味し、「非再帰反射性」とは再帰反射性を持たない材料の特性を意味する。
【００２３】
以下、図面を参照しながら、ライセンスプレート及びライセンスプレートが含まれるグラフィックフィルムの実施形態について詳細に説明する。本説明において、同一要素には同一符号を用いることとし、重複する説明は省略する。
【００２４】
図１及び図２に示されるように、ライセンスプレート１は、ベースプレート１０と、ベースプレート１０上に設けられたグラフィックフィルム２０を備える。グラフィックフィルム２０は、例えば、基材２２と、基材２２上に設けられた画像印刷層２３とを備える。基材２２の画像印刷層２３とは反対側となる裏面には接着層２１が設けられており、基材２２は接着層２１を介してベースプレート１０に取り付けられている。また、グラフィックフィルム２０は、例えば、基材２２及び画像印刷層２３を被覆する表面保護層２５を更に有し、また、必要に応じて、基材２２及び画像印刷層２３と、表面保護層２５とを接合するための接合層２４を有することができる。
【００２５】
ライセンスプレート１は、例えば、表面保護層２５の上に識別表示３０を設け、識別表示３０が設けられる領域には、例えば、エンボス加工が施されている。ライセンスプレート１は、識別表示３０を保護するためのクリアコート４０を更に有してもよい。なお、表面保護層２５や接合層２４を省略することもでき、また、エンボス加工を省略することもできる。また、表面保護層２５や接合層２４を省略した場合には、画像印刷層２３の上に識別表示３０を設けることもでき、また、画像印刷層２３の中に識別表示３０を設けることもできる。
【００２６】
ライセンスプレート１は、識別情報表示領域Ｅ１と、識別情報表示領域Ｅ１以外の任意表示領域Ｆ１とを有し、識別情報表示領域Ｅ１とは、その内側に識別表示３０が配置される領域であり、ＡＬＰＲ（Ａｕｔｏｍａｔｅｄ  Ｌｉｃｅｎｓｅ  Ｐｌａｔｅ  Ｒｅａｄｅｒ）システムによる識別表示３０の識別に必要な領域である。つまり、識別情報表示領域Ｅ１は、少なくとも識別表示３０として予定されている一つの情報を内包する領域であり、且つ、隣接する識別情報表示領域Ｅ１との間で重なりが生じない領域である。なお、ＡＬＰＲシステムによる識別表示３０の識別に必要な領域は、ＡＬＰＲの車両及びライセンスプレート検知システム、赤外線カメラの撮影条件及び分解能、ライセンスプレート認識アルゴリズム、ＯＣＲソフトウェアなどによって、その領域の大きさ及び形状は変化しうる。しかしながら、少なくとも後述の例示に係る識別情報表示領域Ｅ１は、ＡＬＰＲシステムによる識別表示３０の識別に必要な領域である。
【００２７】
一例に係る識別情報表示領域Ｅ１（図３の（ａ）図参照）は、識別表示３０にそれぞれ接する四辺を備えた矩形領域である。この矩形領域とは、例えば、識別表示３０として予定されている複数の情報を同フォントで仮定した場合において、輪郭（外縁）が最も大きくなる情報を基準情報とし、その基準情報に対してそれぞれ接する四辺を備えている矩形領域であると規定することができる。例えば、「１」〜「９」までの自然数、及び「０」という数字が識別表示３０として予定されている情報であった場合、「１」に比べて他の数字（「９」や「０」）の方が、横方向の幅が広い。この場合、他の数字を基準情報として矩形領域を規定することができる。さらに、識別表示３０にそれぞれ接する四辺を備えた矩形領域とは、狭義の意味での「識別表示３０に接する」に限定されず、識別表示３０の外縁から５ｍｍ程度離間している領域までを誤差として許容する四辺を備えた矩形領域を意味する。
【００２８】
矩形領域について、より具体的に説明する。例えば、識別情報表示領域Ｅ１は、ライセンスプレートの管轄地域における法規制に従って規定される登録番号などの識別表示３０の配置領域である。識別情報表示領域Ｅ１は、識別表示３０にそれぞれ接する四辺を備えた矩形領域であるとすることができる。例えば日本国においては、道路運送車両法施行規則の第１号様式にライセンスプレートの識別表示３０の配置領域が規定されており、地名及び平仮名は縦４０ｍｍ×横４０ｍｍの正方形領域に、４桁の数字は縦８０ｍｍ×横４０ｍｍ又は縦１２０ｍｍ×横６０ｍｍの矩形領域に、数字や文字などの情報がそれぞれ１個ずつ配置される。
【００２９】
ここで、上記第１号様式では、識別表示３０の外縁の一部が識別表示３０の配置領域に接するように規定されている。しかしながら、識別情報表示領域Ｅ１の一例として規定する矩形領域、つまり、識別表示３０にそれぞれ接する四辺を備えた矩形領域とは、上記第１号様式で規定するような狭義の意味での「接する」に限定されず、識別表示３０の外縁から５ｍｍ程度離間している領域までを誤差として許容する四辺を備えた矩形領域を意味する。
【００３０】
次に、図３の（ｂ）図を参照して他の例に係る識別情報表示領域Ｅ２を説明する。図３の（ｂ）図は、他の例に係る識別情報表示領域Ｅ２を示す図である。識別情報表示領域Ｅ２は識別表示３０を示す外形線３１に沿った表示形状依存領域であり、外形線３１からの距離が、例えば、１５ｍｍ以下の領域として規定することができる。ここで、外形線３１とは、識別表示３０と、その周囲とを区別する境界線であり、具体的には、識別表示３０の輪郭を示す線である。
【００３１】
図１に示されるように、ライセンスプレート１には、識別表示３０の背景として、様々な図柄を形成することができるが、例えば観光地をあしらった図柄の一例として、富士山の図柄を示す印刷画像が設けられる場合がある。富士山の図柄は、例えば、画像印刷層２３内において、識別情報表示領域Ｅ１及び任意表示領域Ｆ１の双方に設けられている。このため、ライセンスプレート１を正面から見ると、画像印刷層２３に設けられた富士山の図柄が、識別表示３０のうち登録番号「４２−４９」と重なっている。
【００３２】
ここで、図６は、図１に対応する比較形態に係るライセンスプレート１００の正面図である。比較形態に係るライセンスプレート１００の背景である富士山の図柄は、上記の実施形態に係るライセンスプレート１の富士山の図柄に比べ、色が濃く表現されている。その結果として、比較形態に係るライセンスプレート１００の識別表示３０は、上記の実施形態に係るライセンスプレート１の識別表示３０に比べ、富士山も図柄に同化し、識別が難しくなっている。以下、可視波長領域を基準にした場合において、背景に対する識別表示３０の識別が困難になる原因について説明する。
【００３３】
図４及び図５は、シアン（Ｃ）インク、マゼンタ（Ｍ）インク、イエロー（Ｙ）インク、及びブラック（Ｋ）インクの光透過率スペクトルを示す図である。図４では、スコッチカルＴＭグラフィックフィルムＲＧ５３３３Ｒ（スリーエム社製）にＪＶ５溶剤インクジェットプリンタ用純正インク（ミマキエンジニアリング社製）を用いて印刷がなされている。図５では、スコッチカルＴＭグラフィックフィルムＲＧ５３３３Ｒ（スリーエム社製）にＣｏｌｏｒＰａｉｎｔｅｒ  Ｈ２−１０４Ｓ溶剤インクジェットプリンタ用純正インク（セイコーアイ・インフォテック社製）を用いて印刷がなされている。
【００３４】
図４及び図５に示されるように、可視波長領域、例えば、波長６２０ｎｍでは、マゼンタインク及びイエローインクは、顕著な吸収を有していない。そのため、マゼンタインク及びイエローインクを用いて印刷した図柄は、波長６２０ｎｍでの識別表示３０の読取り時には陰影を生じさせない。一方、シアンインク及びブラックインクを用いて印刷した図柄は、波長６２０ｎｍにおいて大きな吸収を有するので、例えば、ＡＬＰＲシステムの自動速度取締機による識別表示３０の読取り時に陰影となり、特に、画像を目視で読み取る場合は、識別表示３０の判読を妨げることがあることが示される。
【００３５】
以上より、可視波長領域を基準にした場合における識別表示３０の判読性は、主としてシアンインク、及びブラックインクの影響を受け易いとの結果を導出できる。さらに、識別表示３０の判読性は、識別表示３０に近接する領域との比較によって導出できると仮定できる。そこで、これらの条件と識別表示３０の判読性との相関性を得るため、上述の実施形態、及び比較形態に対して、以下の検証が実施された。
【００３６】
本検証において、まずは、実施形態及び比較形態に対して、識別表示３０を形成するシアンの光学濃度、及びブラックの光学濃度が測定等によって求められた。次に、シアン及びブラックの光学濃度の和（以下では、便宜上、「基準混合濃度」と称する）が導出された。次に、実施形態及び比較形態に対して、識別表示３０に近接する領域として、識別情報表示領域Ｅ１内で識別表示３０以外の領域が特定され、この領域を形成するシアンの光学濃度、及びブラックの光学濃度が測定等によって求められた。次に、シアン及びブラックの光学濃度の和（以下では、便宜上、「比較混合濃度」と称する）が導出された。なお、比較混合濃度については、最も高い値を基準にすることができる。次に、実施形態、及び比較形態に対して、それぞれ基準混合濃度に対する比較混合濃度の比率を求めた。
【００３７】
上記の光学濃度は、例えば、分光光度計ＳＰＭ５０（グレタグマクベス社製）を用いて測定される。また、光学濃度の比率ＲＯＤは、以下の式により定義される。この式において、「Ｄｃ（Ｎ）」は、識別表示３０から測定されるシアンの光学濃度であり、「Ｄｋ（Ｎ）」は、識別表示３０から測定されるブラックの光学濃度である。つまり、「Ｄｃ（Ｎ）＋Ｄｋ（Ｎ）」は基準混合濃度を意味する。また、「Ｄｃ（Ｇ）」は、識別表示３０を除く識別情報表示領域Ｅ１における背景図から測定されたシアンの光学濃度であり、「Ｄｋ（Ｇ）」は、識別表示３０を除く識別情報表示領域Ｅ１における背景図から測定されるブラックの光学濃度である。つまり、「Ｄｃ（Ｇ）＋Ｄｋ（Ｇ）」は比較混合濃度を意味する。
ＲＯＤ＝［（Ｄｃ（Ｇ）＋Ｄｋ（Ｇ））／（Ｄｃ（Ｎ）＋Ｄｋ（Ｎ））］×１００（％）
【００３８】
次に、実施形態に係る比率と、比較形態に係る比率とを比較し検証したところ、実施形態に係る比率ＲＯＤは８０％以下であり、逆に比較形態に係る比率ＲＯＤは８０％を超えているという相関性を導出することができた。
【００３９】
つまり、上記の実施形態に係るライセンスプレートでは、基準混合濃度に対する比較混合濃度の比率が８０％以下であるので、仮に、識別情報表示領域Ｅ１内に識別表示３０以外の図柄等が配置されていたとしても、その図柄等の影響を受けず、識別表示３０の判読性の低下は回避され、判読性の低下を低減できる。
【００４０】
なお、識別表示３０の判読性は、基準混合濃度に対する比較混合濃度の比率ＲＯＤが小さいほど区別し易くなって向上する。従って、図柄にシアンインクおよびまたはブラックインクを使用する場合、比率ＲＯＤは７５％以下が好ましく、７０％以下が更に好ましい。一方で、比率ＲＯＤが小さくなるほど背景図面が薄くなってしまい意匠性を低下させる可能性があるため、比率ＲＯＤは、１０％以上が好ましい。
【００４１】
また、本実施形態及び比較形態では、ライセンスプレートの任意表示領域Ｆ１のうち、識別情報表示領域Ｅ１の外縁に沿った領域を近傍領域Ｋ１として規定している。近傍領域Ｋ１とは、識別情報表示領域Ｅ１の外縁からの距離が１５ｍｍ以下の領域である。更に、本実施形態及び比較形態において、近傍領域Ｋ１を形成するシアン及びブラックの光学濃度の和（以下では、便宜上、「近傍混合濃度」と称する）が導出された。なお、比較混合濃度については、最も高い値を基準にすることができる。次に、実施形態、及び比較形態に対して、それぞれ基準混合濃度に対する近傍混合濃度の比率を求めたところ、実施形態に係る比率は８０％以下となっており、比較形態に係る比率は８０％を超えていた。つまり、本実施形態では、基準混合濃度に対する比較混合濃度の比率ＲＯＤに加え、基準混合濃度に対する近傍混合濃度の比率も８０％以下となっており、その結果、識別表示３０の判読性の向上に有利になっている。
【００４２】
なお、識別表示３０の判読性は、基準混合濃度に対する近傍混合濃度の比率が小さいほど区別し易くなって向上する。従って、図柄にシアンインクおよびまたはブラックインクを使用する場合、その比率は７５％以下が好ましく、７０％以下が更に好ましい。一方で、基準混合濃度に対する近傍混合濃度の比率が小さくなるほど任意表示領域Ｆ１の背景図面が薄くなってしまい意匠性を低下させる可能性があるため、基準混合濃度に対する近傍混合濃度の比率は、１０％以上が好ましい。
【００４３】
以上、識別情報表示領域Ｅ１と近傍領域Ｋ１とに基づき、識別表示３０の判読性について説明したが、他の例に係る識別情報表示領域Ｅ２（図３の（ｂ）図参照）における識別表示３０の判読性についても同様である。つまり、本実施形態において、識別情報表示領域Ｅ２を規定した場合に、識別情報表示領域Ｅ２内で識別表示３０以外の領域を形成するシアン及びブラックの光学濃度の和（以下では、便宜上、「第２の比較混合濃度」と称する）が導出される。そして、基準混合濃度に対する第２の比較混合濃度の比率は、８０％以下である。従って、仮に、識別情報表示領域Ｅ２内に識別表示３０以外の図柄等が配置されていたとしても、その図柄等の影響を受けず、識別表示３０の判読性の低下を低減できる。なお、判読性の観点から、この比率は、７５％以下が好ましく、７０％以下が更に好ましい。一方で、比率が小さくなるほど背景図面が薄くなってしまい意匠性を低下させる可能性があるため、比率は、１０％以上が好ましい。
【００４４】
また、図３の（ｂ）図に示されるように、識別情報表示領域Ｅ２の外縁に沿った領域であり、且つ識別情報表示領域Ｅ２の外縁からの距離が１５ｍｍ以下の領域は近傍領域Ｋ２として規定できる。そして、本実施形態において、近傍領域Ｋ２を形成するシアン及びブラックの光学濃度の和（以下では、便宜上、「第２の近傍混合濃度」と称する）が導出される。そして、基準混合濃度に対する第２の近傍混合濃度の比率は、８０％以下である。つまり、本実施形態では、基準混合濃度に対する第２の比較混合濃度の比率に加え、基準混合濃度に対する第２の近傍混合濃度の比率も８０％以下となっており、その結果、識別表示３０の判読性の向上に有利になっている。なお、判読性の観点から、この比率は、７５％以下が好ましく、７０％以下が更に好ましい。一方で、比率が小さくなるほど背景図面が薄くなってしまい意匠性を低下させる可能性があるため、比率は、１０％以上が好ましい。
【００４５】
以下、ライセンスプレート１を構成する材質について詳細に説明する。
【００４６】
（ベースプレート）
ライセンスプレート１のベースプレートとして、一般に金属板又は樹脂板を使用することができる。金属板として、アルミニウム板、ステンレス板、鉄板などが挙げられる。樹脂板として、ポリカーボネート板、ポリエステル板、塩化ビニル板などが挙げられる。必要に応じて、これらの板材をフレームなどの形状に成形加工してもよい。
【００４７】
ベースプレート１０へのグラフィックフィルム２０の取り付けは、グラフィックフィルム２０が有する接着層２１を介して、又は接着剤をグラフィックフィルム２０とベースプレート１０の間に塗布して、ベースプレート１０とグラフィックフィルム２０を接着することにより行うことができる。
【００４８】
ベースプレート１０にグラフィックフィルム２０を取り付けて形成した積層体を、例えばブランクプレスダイなどを用いて所望の大きさにブランクプレスして切り出してもよい。
【００４９】
（接着層）
ライセンスプレート１のベースプレート１０に接着するための接着層２１に好適に使用することができる接着剤として、架橋され可塑化されたアクリル系感圧接着剤又はホットメルトの感圧接着剤が挙げられる。天然ゴム、合成ゴム、シリコーン又は他のポリマーをベースとし、必要に応じて粘着付与剤、酸化防止剤、紫外線吸収剤、可塑剤などの添加剤を含む、他の感圧接着剤を使用することもできる。本開示において「感圧接着剤」とは、軽い圧力で様々な表面に接着し、相変化（液体から固体へ）を呈さない接着剤を指す。接着剤は架橋剤によって熱架橋又は放射線（例えば電子線ビーム又は紫外線）で架橋されたものでもよい。
【００５０】
接着層２１の厚さは様々であってよく、一般に、約１０μｍ以上、約２０μｍ以上、又は約３０μｍ以上、約１５０μｍ以下、約９０μｍ以下、又は約６０μｍ以下とすることができる。
【００５１】
グラフィックフィルム２０は、接着層２１を保護するライナーをさらに有してもよい。ライナーとして、例えば、紙；ポリエチレン、ポリプロピレン、ポリエステル、酢酸セルロースなどのプラスチック材料；このようなプラスチック材料で被覆された紙などを挙げることができる。これらのライナーは、シリコーンなどにより剥離処理した表面を有してもよい。ライナーの厚さは、一般に、約５μｍ以上、約１５μｍ以上又は約２５μｍ以上、約３００μｍ以下、約２００μｍ以下又は約１５０μｍ以下である。
【００５２】
（基材）
基材２２としては、例えば、ライセンスプレート用途に適した物性を有する、従来公知の種々のポリマーシートを用いることができる。ポリマーとして、ポリウレタン、アクリル樹脂、ポリエステル、ポリオレフィン、塩化ビニル樹脂、塩化ビニル−酢酸ビニル樹脂、ポリカーボネート、ポリイミド、ポリアミド、ポリエステル−アミドなどを挙げることができる。基材２２は複数の材料の積層体であってもよい。
【００５３】
いくつかの実施態様において、基材２２は、塩化ビニル樹脂、塩化ビニル−酢酸ビニル樹脂、アクリル樹脂、又はそれらの組合せを含む。これらのポリマーは画像受容性に優れており、基材２２上に高品質の印刷画像を形成することができる。
【００５４】
いくつかの実施態様において、基材２２は、グラフィックフィルム２０を備えるライセンスプレート１の製造に際し、クラック又は浮き上がりが生じ難い材質であること、すなわち、エンボス部又はデボス部の変形形状への追従性に十分な可とう性及び延伸性を有することが好ましい。この観点から好ましいポリマーとして、塩化ビニル樹脂、塩化ビニル−酢酸ビニル樹脂、ポリウレタン、アクリル樹脂、ポリオレフィンなどを挙げることができる。
【００５５】
基材２２は、酸化チタン、酸化亜鉛などの白色顔料を含んでもよく、これらの白色顔料を含むコーティングを有してもよい。白色顔料を含む基材、又は白色顔料を含むコーティングを有する基材を用いることにより、ベースプレート１０の地色を隠蔽してより鮮明な印刷画像を提供することができる。
【００５６】
いくつかの実施態様において、基材２２は非再帰反射性を有することができる。一方、非再帰反射性基材は、ペイント式ライセンスプレートの読取り用に調整されたＡＬＰＲシステムによる登録番号の良好な判読性という観点から有利である。
【００５７】
非再帰反射性基材としては、一又は複数の上記ポリマーを用いて形成されたシート、一又は複数の上記ポリマーとフッ素樹脂を組み合わせて含むシートなどが挙げられる。
【００５８】
いくつかの実施態様において、基材２２は再帰反射性である。再帰反射性基材は、夜間の少ない光の下又は離れた距離などでのライセンスプレートの視認性が良好である点で有利である。再帰反射性基材としては、従来公知の種々の再帰反射性シートを使用できる。例えば、光透過性のビーズ又はキューブコーナーなどの再帰反射性要素、及び必要に応じて反射層を有するシートなどが例示される。再帰反射性シートとして、例えば、特許第２６４２０９９号公報、特許第２７８８０３０号公報、特許第２９６０４７８号公報、特許第３０３８２１８号公報、特許第３５９４９６９号公報、特表２０００−５０６６２３号公報、及び特表２０００−５０８４３４号公報に記載されたようなシートを使用することができ、また、特表２０１３−５０８７４９公報や特表２０１５−５３０２９９号公報、特開２０１４−２４５３７号公報に記載された赤外線の再帰反射性が低減された再帰反射性シート、また、特表２０１３−５０８７４８公報に記載された高入射角で再帰反射率が低減される再帰反射性シートを使用することができる。
【００５９】
基材２２の再帰反射性について、観測角０．２度、入射角５度における再帰反射係数（ＪＩＳ  Ｚ  ９１１７に準拠する）は少なくとも約１ｃｄ／ｌｘ／ｍ２である。ある好適な実施態様では、再帰性反射シートの再帰反射係数は約４５ｃｄ／ｌｘ／ｍ２以上、又は約５０ｃｄ／ｌｘ／ｍ２以上である。例えば、ＩＳＯ７５９１：１９８２に規定される白については、約４５ｃｄ／ｌｘ／ｍ２以上、黄については約３０ｃｄ／ｌｘ／ｍ２以上であることが望ましい。ＪＩＳ  Ｚ  ９１１７の封入レンズ型タイプ１−Ｂ−ｂである場合、白については約３５ｃｄ／ｌｘ／ｍ２以上、黄については約２５ｃｄ／ｌｘ／ｍ２以上、赤については約１０ｃｄ／ｌｘ／ｍ２以上、黄赤については約１３ｃｄ／ｌｘ／ｍ２以上、緑については約５ｃｄ／ｌｘ／ｍ２以上、青については約３ｃｄ／ｌｘ／ｍ２以上であることが望ましい。
【００６０】
ライセンスプレート１が非再帰反射性であるか、再帰反射性であるかによって、通常はＡＬＰＲシステムの読取りの設定又はグラフィックフィルム２０の設計を変更する必要がある。しかしながら、本開示のグラフィックフィルム２０は、非再帰反射性基材及び再帰反射性基材のいずれを用いた場合であっても、ＡＬＰＲシステムに対する良好な判読性をライセンスプレートに付与することができる。
【００６１】
基材２２の厚さは、グラフィックフィルム２０を備えるライセンスプレート１の耐久性の観点から、約１５μｍ以上、約３０μｍ以上、又は約４５μｍ以上であることが好ましく、ライセンスプレート１にエンボス部又はデボス部を形成する場合、変形形状への追従性の観点から、約３００μｍ以下、約２５０μｍ以下、又は約２２０μｍ以下であることが好ましい。
【００６２】
基材２２の破断強度は、良好な耐久性の観点から、好ましくは約５Ｎ／２５ｍｍ以上、約１０Ｎ／２５ｍｍ以上、又は約２０Ｎ／２５ｍｍ以上であり、製造容易性の観点から、好ましくは約２００Ｎ／２５ｍｍ以下、約１７５Ｎ／２５ｍｍ以下、又は約１５０Ｎ／２５ｍｍ以下である。本開示において、破断強度はＪＩＳ  Ｚ  ０２３７に準拠して測定される値である。
【００６３】
基材２２の伸びは、ライセンスプレート１に対するエンボス加工又はデボス加工時のクラックの発生の防止、及びベースプレート１０からの浮き上がり防止の観点から、好ましくは、約３０％以上、又は約３５％以上であり、良好な機械強度の観点から、好ましくは約４００％以下、又は約３５０％以下である。本開示において、伸びはＡＳＴＭ試験法Ｄ８８２−８０ａに準拠して測定される値である。
【００６４】
基材２２として種々の市販品を使用することができる。例えば、基材２２として印刷画像の形成に適したグラフィックフィルムなどを有利に使用することができる。市販のグラフィックフィルムの例として、コントロールタックＴＭグラフィックフィルムＩＪ１８０−１０（スリーエム社製）、スコッチカルＴＭグラフィックフィルムＩＪ５３３１及びＲＧ５３３３Ｒ（スリーエム社製）などが挙げられる。
【００６５】
市販の再帰反射性フィルムの例として、例えば反射シートＢＲ１９０５００、Ｐｒｅｃｌｅａｒ  Ｒｅｆｌｅｃｔｉｖｅ  Ｌｉｃｅｎｓｅ  Ｐｌａｔｅ  Ｓｈｅｅｔｉｎｇ  ４７５０及び４７７０、Ｈｉｇｈ  Ｄｅｆｉｎｉｔｉｏｎ  Ｌｉｃｅｎｓｅ  Ｐｌａｔｅ  Ｓｈｅｅｔｉｎｇ  Ｓｅｒｉｅｓ  ６７００（以上、スリーエム社製）などが挙げられる。
【００６６】
（画像印刷層）
画像印刷層２３では、印刷画像が、基材２２の上にインク、トナーなどの着色剤を、グラビア印刷、スクリーン印刷、オフセット印刷、静電印刷、インクジェット印刷、熱転写印刷などの印刷技術を用いて形成されることができる。様々な画像に対応する印刷画像データに基づいて小さいロット単位でも印刷画像を基材上に簡便に印刷でき、屋外耐候性を有するフルカラー印刷画像が得られることから、インクジェット印刷又は熱転写印刷を用いることが有利である。インクジェット印刷に使用されるプリンタとして、溶剤インクジェットプリンタ、ＵＶインクジェットプリンタ又はシルクスクリーンなどが挙げられる。熱転写印刷に使用されるプリンタとして、熱溶融型熱転写プリンタ、昇華型熱転写プリンタなどが挙げられる。
【００６７】
インクジェット印刷、熱転写印刷などの印刷インクは、一般にシアン（Ｃ）インク、マゼンタ（Ｍ）インク、イエロー（Ｙ）インク、及びブラック（Ｋ）インクの４色インクセットとして提供されてフルカラー印刷を可能にする。ハイライトの再現性を高めるために、これらの４色に、ライトシアンインク及びライトマゼンタインクを加えた６色インクセット、又はさらにグレーインク若しくはダークイエローインクを加えた７色インクセットが用いられる場合もある。これらのインクは従来公知であり、一般にそれぞれ対応する色の顔料又は染料と、バインダー又はビヒクルとを含み、必要に応じてさらに水、有機溶剤、分散剤、硬化剤などを含む。
【００６８】
インクジェット印刷インクとして、例えば、ＪＶ５溶剤インクジェットプリンタ用純正インク（ミマキエンジニアリング社製）、ＣｏｌｏｒＰａｉｎｔｅｒ  Ｈ２−１０４Ｓ溶剤インクジェットプリンタ用純正インク（セイコーアイ・インフォテック社製）、ＵＪＶ５００−１６０ＵＶインクジェットプリンタ用純正インク（ミマキエンジニアリング社製）などを使用することができる。熱転写印刷インクとして、例えば、スコッチマスターＴＭエッジＩＩシステム（熱転写プリンタ）用インクセット（スリーエム社製）などを使用することができる。
【００６９】
印刷画像の厚さは様々であってよく、一般に、溶剤系インクを用いた場合は、約１μｍ以上、又は約２μｍ以上、約８μｍ以下、又は約５μｍ以下である。ＵＶ系インクを用いた場合は、約１μｍ以上、又は約５μｍ以上、約５０μｍ以下、又は約３０μｍ以下とすることができる。
【００７０】
（表面保護層）
表面保護層２５として様々な樹脂フィルムを使用することができる。例えば、表面保護層２５に好適に使用される樹脂として、塩化ビニル樹脂、塩化ビニル−酢酸ビニル樹脂、ポリウレタン、アクリル樹脂、ポリオレフィン、これらの組合せなどを挙げることができる。表面保護層２５は、印刷画像の視認性及びＡＬＰＲシステムの判読性に影響を与えないように可視光及び赤外光に対して透明であることが好ましい。
【００７１】
表面保護層２５の厚さは様々であってよく、一般に、約４０μｍ以上、約５０μｍ以上、又は約６０μｍ以上、約２００μｍ以下、約１５０μｍ以下、又は約１００μｍ以下とすることができる。
【００７２】
（接合層）
接合層２４は、従来知られている接着剤から形成することができ、被接合物の材質に応じて適宜選択される。接着剤として、例えばアクリル樹脂、エポキシ樹脂、ポリエステルなどをベースとする接着剤を使用することができる。接合層２４は、印刷画像の視認性及びＡＬＰＲシステムの判読性に影響を与えないように可視光及び赤外光に対して透明であることが好ましい。
【００７３】
接合層２４の厚さは様々であってよく、一般に、約１０μｍ以上、又は約２０μｍ以上、約２００μｍ以下、又は約１００μｍ以下とすることができる。
【００７４】
（識別表示）
識別表示３０は、インクジェット印刷、ロールコーティングなどを用いて、グラフィックフィルム２０の識別情報表示領域Ｅ１の内部に、例えば顔料及びバインダー樹脂を含むインク組成物を適用して着色層を形成することにより、ライセンスプレート１に配置することができる。識別表示３０の輪郭に合わせて形成されたエンボス部又はデボス部にインク組成物を適用して着色層を形成してもよい。エンボス部又はデボス部の形成は、一般にベースプレート１０にグラフィックフィルム２０を取り付けて積層体を形成した後、積層体を雄雌ダイに挟んでプレス機で加圧することによって行うことができる。このときに、ライセンスプレート１の辺縁部にフレーム部を形成してもよい。フレーム部はライセンスプレート１の変形を防止するための強度をライセンスプレート１に付与することができる。エンボス部、デボス部又はフレーム部の深さは、一般にそれぞれ約１ｍｍ以上、約２ｍｍ以下であるが、この範囲に限定されない。一実施態様では、識別表示３０がライセンスプレート１のエンボス部上に配置されている。
【００７５】
識別表示３０を表示する着色層の厚さは様々であってよく、一般に、約５μｍ以上、約６μｍ以上、又は約８μｍ以上、約３０μｍ以下、約２５μｍ以下、又は約２０μｍ以下とすることができる。
【００７６】
次に、図７及び図８を参照し、実施形態に係るグラフィックフィルムの一例について説明する。図７は、グラフィックフィルムの平面図であり、図８はグラフィックフィルムの断面図である。
【００７７】
グラフィックフィルム２０Ａは、例えば、上述のライセンスプレート１に適用され、ベースプレート１０上に設置される。なお、グラフィックフィルム２０Ａは実質的に上述のグラフィックフィルム２０と共通するため、同様の要素や構造については同一の符号を付して詳細な説明を省略し、相違点を中心に説明する。
【００７８】
本実施形態に係るグラフィックフィルム２０Ａの場合、一般的に、ベースプレート１０上に設置された後で、エンボス加工が施され、更に識別表示３０が設けられる。つまり、一般的に、グラフィックフィルム２０Ａの画像印刷層２３には、まだ実際の識別表示３０は設けられていない。しかしながら、グラフィックフィルム２０Ａは、識別表示３０が表示される予定の領域（識別表示予定領域）として識別情報表示領域Ｅ１を有し、また、識別情報表示領域Ｅ１以外の任意表示領域Ｆ１を有する。つまり、識別情報表示領域Ｅ１は、その内側に識別表示３０が配置される領域である。また、グラフィックフィルム２０Ａは、識別情報表示領域Ｅ１の外縁に沿った領域として近傍領域Ｋ１を有する。なお、識別情報表示領域Ｅ１及び近傍領域Ｋ１の代わりに識別情報表示領域Ｅ２及び近傍領域Ｋ２を採用できるが、以下の説明では、識別情報表示領域Ｅ１及び近傍領域Ｋ１を代表して説明する。
【００７９】
グラフィックフィルム２０Ａにおいて、識別情報表示領域Ｅ１の内側に配置予定の識別表示３０は既に決められており、従って、識別表示３０を形成するシアン及びブラックの光学濃度の和を求めることは可能である。例えば、ライセンスプレート１の設計段階においてコンピューターグラフィック等を利用し、識別表示３０に適用される色の情報を予め特定しておき、その色の情報からシアン及びブラックの光学濃度の和を求めることができる。
【００８０】
次に、グラフィックフィルム２０Ａにおいて、識別情報表示領域Ｅ１内で識別表示３０以外の領域を形成するシアン及びブラックの光学濃度を測定等し、シアン及びブラックの光学濃度の和を求める。
【００８１】
グラフィックフィルム２０Ａでは、識別表示３０を形成するシアン及びブラックの光学濃度の和に対して、識別情報表示領域Ｅ１内で識別表示３０以外の領域を形成するシアン及びブラックの光学濃度の和の比率は８０％以下である。その結果、実際に、識別情報表示領域Ｅ１内に識別表示３０が配置された場合に識別表示３０の判読性の低下を低減できる。なお、識別表示３０の判読性の観点から、上記の比率は７５％以下が好ましく、７０％以下が更に好ましい。一方で、比率が小さくなるほど背景図柄が薄くなってしまい意匠性を低下させる可能性があるため、比率は、１０％以上が好ましい。
【００８２】
また、グラフィックフィルム２０Ａでは、識別表示３０を形成するシアン及びブラックの光学濃度の和に対して、近傍領域Ｋ１を形成するシアン及びブラックの光学濃度の和は８０％以下である。その結果、実際に、識別情報表示領域Ｅ１内に識別表示３０が配置された場合における識別表示３０の判読性の向上に有利になっている。識別表示３０の判読性の観点から上記の比率は７５％以下が好ましく、７０％以下が更に好ましい。一方で、比率が小さくなるほど背景図柄が薄くなってしまい意匠性を低下させる可能性があるため、比率は、１０％以上が好ましい。
【実施例】
【００８３】
以下、本発明の実施例および比較例により、さらにライセンスプレートについて説明するが、本発明は下記例に制限されない。
【００８４】
［実施例１］
コントロールタックＴＭグラフィックフィルムＩＪ１８０−１０（スリーエム社製）を基材に用い、その基材の上に、ＪＶ５溶剤インクジェットプリンタ（ミマキエンジニアリング社製）を用いて、例えば、図１に示す富士山が描かれた図柄を印刷し、画像印刷層を形成した。基材及び画像印刷層の上に、スコッチカルＴＭグラフィックフィルムＲＧ５３３３Ｒ（スリーエム社製）をラミネートして、表面保護層を形成した。基材、画像印刷層及び表面保護層を備えるグラフィックフィルムをアルミ板に貼り、エンボス加工が施される前のブランク板を作製した。ブランク板のサイズは、例えば、幅１６５ｍｍ、長さ３３０ｍｍである。ブランク板において識別表示が配置されるべき部分をエンボス加工し、また、ＲｏｌｌＣｏａｔ Ｉｎｋ ４８５４（スリーエム社製）を用いて識別表示を印刷して、ライセンスプレートを作製した。
【００８５】
実施例１に係るライセンスプレートでは、識別情報表示領域として識別表示にそれぞれ接する四辺を備えた矩形領域を想定した。この識別情報表示領域における最も色の濃い部分の色指定は、シアン６８％、マゼンタ２９％、イエロー２％であった。
【００８６】
このライセンスプレートについては、市販のＡＬＰＲ（可搬式ナンバープレート自動観測装置ＯＣ−ｉシステム（エイテック社製））の光源を、波長６２０ｎｍのＬＥＤ光源に替えたカメラを用いて、視認テストを行ったところ、判読可能との結果を得た。なお、この視認テストでは、シアン及びブラックについては視認できたが、マゼンタ及びイエローについては実質的に視認できなかった。
【００８７】
なお、本実施例では、上記のライセンスプレートに合わせた仮想データに基づく、判読性のシミュレーションを行った。具体的には、図１に示す富士山が描かれた図柄を画像データとしてＥＰＳ形式で作成し、次いで、ソフトウェアのフォトショップＴＭ（アドビ社製）を用いて、墨版生成なしでＣＭＹＫカラーに変換して、さらにシアンのみで表示したところ、ＪＶ５溶剤インクジェットプリンタ（ミマキエンジニアリング社製）を用いて印刷した画像と近似する結果となった。この結果は、ライセンスプレートのための画像データは、例えば、ソフトウェアのフォトショップＴＭ（アドビ社製）によって作成されることを示しており、このソフトウェアのよるシミュレーションによって、上記の視認テストと同等の結果が得られることが示された。
【００８８】
［実施例２］
識別情報表示領域を識別表示にそれぞれ接する四辺を備えた矩形領域として、この矩形の識別情報表示領域をシアン７０％の色指定で着色したデジタルデータを作成した。識別表示については、シアン７０％、マゼンタ５０％、イエロー７０％、及びブラック５０％の色指定によって着色したデジタルデータを作成した。
【００８９】
続いて、コントロールタックＴＭグラフィックフィルムＩＪ１８０−１０（スリーエム社製）を基材に用い、その基材の上に、ＪＶ５溶剤インクジェットプリンタ（ミマキエンジニアリング社製）を用いて、上記デジタルデータを印刷し、画像印刷層を形成した。基材及び画像印刷層の上に、スコッチカルＴＭグラフィックフィルムＲＧ５３３３Ｒ（スリーエム社製）をラミネートして、表面保護層を形成した。基材、画像印刷層及び表面保護層を備えるグラフィックフィルムをアルミ板に貼り、実施例２の試験板を作製した。試験板のサイズは、例えば、幅１６５ｍｍ、長さ３３０ｍｍである。
【００９０】
［実施例３］
実施例２におけるシアン７０％の色指定で着色したデジタルデータに替えて、シアン７５％の色指定で着色したデジタルデータを作成した。この点を除いて、実施例２と同様に、ライセンスプレートのための試験板を作製した。
【００９１】
［実施例４］
実施例２におけるシアン７０％の色指定で着色したデジタルデータに替えて、シアン８０％の色指定で着色したデジタルデータを作成した。この点を除いて、実施例２と同様に、ライセンスプレートのための試験板を作製した。
【００９２】
［実施例５］
実施例２におけるシアン７０％の色指定で着色したデジタルデータに替えて、シアン７５％、マゼンタ２５％の色指定で着色したデジタルデータを作成した。この点を除いて、実施例２と同様に、ライセンスプレートのための試験板を作製した。
【００９３】
［実施例６］
実施例２におけるシアン７０％の色指定で着色したデジタルデータに替えて、シアン８０％、マゼンタ２５％の色指定で着色したデジタルデータを作成した。この点を除いて、実施例２と同様に、ライセンスプレートのための試験板を作製した。
【００９４】
［比較例１］
実施例２におけるシアン７０％の色指定で着色したデジタルデータに替えて、シアン８５％の色指定で着色したデジタルデータを作成した。この点を除いて、実施例２と同様に、ライセンスプレートのための試験板を作製した。
【００９５】
［比較例２］
実施例２におけるシアン７０％の色指定で着色したデジタルデータに替えて、シアン９０％の色指定で着色したデジタルデータを作成した。この点を除いて、実施例２と同様に、ライセンスプレートのための試験板を作製した。
【００９６】
表１は、実施例１〜実施例６、および、比較例１〜比較例２について、シアン及びマゼンタの色指定、光学濃度の比率ＲＯＤ、及び視認テストの評価結果を示した表である。登録番号などの識別表示が目視で読み取れるときに「Ａ」と評価し、目視で読み取れないときに「Ｂ」と評価した。
【００９７】
表１の視認テストでは、実施例２〜実施例６、および、比較例１〜比較例２についても、実施例１と同様に、市販のＡＬＰＲ（可搬式ナンバープレート自動観測装置ＯＣ−ｉシステム（エイテック社製））の光源を、波長６２０ｎｍのＬＥＤに替えたカメラを用いて行った。また、実施例２〜実施例６、および、比較例１〜比較例２については、実施例１と同様に、ソフトウェアのフォトショップＴＭ（アドビ社製）を用いて、墨版生成なしでＣＭＹＫカラーに変換して、さらにシアンのみで表示したところ、このソフトウェアシミュレーションでの評価は、上記カメラを用いて行った評価と近似する結果となった。
【００９８】
【表１】
0006789681.tif 000002
【００９９】
表１の結果から、識別表示を形成するシアン及びブラックの光学濃度の和に対する、識別情報表示領域内で識別表示以外の領域を形成するシアン及びブラックの光学濃度の和の比率ＲＯＤが８０％以下であれば、ライセンスプレートは、良好な判読性を有することが示される。即ち、ライセンスプレートでは、上記比率ＲＯＤが８０％以下であれば、ＡＬＰＲシステムの自動速度取締機による識別表示の読取り時に、識別表示が良好に判読できることが示される。また、表１の結果から、マゼンタは、ライセンスプレートの読み取りに対して殆ど影響を及ぼさないことも示される。
【符号の説明】
【０１００】
１…ライセンスプレート、１０…ベースプレート、２０、２０Ａ…グラフィックフィルム、２２…基材、２３…画像印刷層、３０…識別表示、３１…外形線、Ｅ１，Ｅ２…識別情報表示領域、Ｆ１…任意表示領域、Ｋ１，Ｋ２…近傍領域。
【図１】
0006789681.tif 000003
【図２】
0006789681.tif 000004
【図３】
0006789681.tif 000005
【図４】
0006789681.tif 000006
【図５】
0006789681.tif 000007
【図６】
0006789681.tif 000008
【図７】
0006789681.tif 000009
【図８】
0006789681.tif 000010